(57)【要約】下方および上方機器を含む、複数の電子機器をロックおよびドッキング解除するためのドッキング機構が提供される。上方電子機器は、下方電子機器の上部カバー上でドッキングする。上方電子機器は、少なくとも１つのフック受け開口部を備える。下方電子機器は、上部カバーの少なくとも１つのフック開口部および少なくとも１つのリフトプッシャ開口部と、下方電子機器の側壁のボタン開口部と、ボタン開口部を通って延びる摺動フック部片の端部のボタン、フック開口部を通って延びる少なくとも１つのフック、およびリフトプッシャ開口部を通って延びる少なくとも１つのリフトプッシャを含む摺動フック部片とを有する。摺動フック部片は、上部カバーに摺動可能に取り付けられており、ボタンが押されたときに上方電子機器を下方電子機器から安全に持ち上げるためにリフトプッシャを上向きに動かす上部カバー上のリフト手段を含む。
2015532540.tif 000002
【特許請求の範囲】
【請求項１】
上部カバー（１６）を有する下方電子機器ユニット（２）と、
前記上部カバーの少なくとも１つのフック開口部および少なくとも１つのリフトプッシャ開口部と、
前記下方電子機器ユニットの側壁のボタン開口部と、
前記ボタン開口部を通って延びる摺動フック部片の端部のボタン（６）、前記フック開口部を通って延びる少なくとも１つのフック４、および前記リフトプッシャ開口部を通って延びる少なくとも１つのリフトプッシャを含む摺動フック部片（１３）であって、前記上部カバーに摺動可能に取り付けられる前記摺動フック部片（１３）と、
前記ボタンが押されたときに、前記リフトプッシャを上向きに動かす前記上部カバー上のリフト手段（２０）と、
を備えた、ドッキング機器システム。
【請求項２】
前記摺動フック部片は、
前記上部カバーの内部上部面と平行である概して平らなボディであって、前記フックが前記平らなボディから上向きに延びる概して平らなボディと、
前記リフトプッシャが上向きに延びる少なくとも１つのリフトプッシュレバー（１９）と
を備え、
前記リフトプッシュレバーは、前記ボタンが押されたとき、前記リフト手段上で摺動して前記リフトプッシャを上向きに動かす、請求項１に記載のドッキング機器システム。
【請求項３】
前記リフトプッシュレバー（１９）は、ピボットヒンジを中心に旋回する平坦部分を備え、前記ピボットヒンジの１つの側の前記平坦部分の１つの部分は前記リフトプッシャを支持し、前記ボタンが押されたとき、前記ピボットヒンジの第２の側の前記平坦部分の第２の部分は前記リフト手段に係合し、前記第２の部分が前記リフトプッシャを上向きに動かす前記リフト手段に係合すると、前記平坦部分は前記ピボットヒンジを中心に回転する、請求項２に記載のドッキング機器システム。
【請求項４】
前記リフト手段は、前記上部カバーの前記内部上部面の斜面（２０）であり、前記第２の部分は、前記ボタンが押されたとき、前記斜面を上方へ摺動して前記平坦部分を回転させる、請求項３に記載のドッキング機器システム。
【請求項５】
前記上部カバーの前記内部上部面は、少なくとも１つの保持リブ（１５）を含み、
前記摺動フック部片は、前記摺動フック部片を前記ボタン開口部の方に付勢するように前記保持リブにばね懸架されている少なくとも１つのばねフィンガ（１４）を含む、請求項４に記載のドッキング機器システム。
【請求項６】
前記上部カバーの前記内部上部面は、前記ピボットヒンジのエッジを保持するスロットをそれぞれ形成する少なくとも１つの保持タブ（２２）を含み、前記保持タブは、前記摺動フック部片（１３）が前記上部カバーに摺動可能に取り付けられることを可能にする、請求項５に記載のドッキング機器システム。
【請求項７】
前記摺動フック部片の前記概して平らなボディは、前記ボタンが延びる前方細片部分（２３）と、平坦な突起すなわちエッジ（３５）がある対向する後方細片部分（３４）とを含み、
前記平坦な突起すなわちエッジは、前記上部カバーの前記内部上部面から形を成す少なくとも１つのエッジ保持タブ（３６）によって形成された少なくとも１つのエッジスロット内に位置付けられ、
前記エッジ保持タブはまた、摺動フック部片（１３）が前記上部カバーに摺動可能に取り付けられることを可能にする、請求項６に記載のドッキング機器システム。
【請求項８】
前記下方電子機器ユニットの前記上部カバー上でドッキングする上方電子機器ユニット（１）を備え、前記上方電子機器ユニットは、前記フックに係合する少なくとも１つのフック受け開口部（１１）を備える、請求項１に記載のドッキング機器システム。
【請求項９】
前記上方電子機器ユニット内の少なくとも１つの案内ピン開口部（１０）と、
前記上部カバーから上向きに延びる少なくとも１つの案内ピン（５）と
を備え、
前記案内ピンは前記案内ピン開口部に入って、前記上方電子機器ユニットを前記下方電子機器ユニットと整合させる、請求項８に記載のドッキング機器システム。
【請求項１０】
前記上方電子機器ユニットから下向きに延びる足（３）と、
前記上部カバー上の足ポケットと
を備え、
前記足は前記足ポケットに入って、前記上方電子機器ユニットを前記下方電子機器ユニットと整合させる、請求項８に記載のドッキング機器システム。
【請求項１１】
前記摺動フック部片は、前記上部カバーの内部上部面と平行である概して平らなボディであり、前記概して平らなボディは、
前記ボタンが延びる前方細片部分（２３）と、
平坦な突起すなわちエッジ（３５）がある、対向する後方細片部分３４と、
前記前方細片部分と前記対向する後方細片部分の間に延びる２つの側方細片部分と、
前記前方細片部分、対向する後方細片部分、および前記２つの側方部分によって画定された中空の中心領域と
を備える、請求項２に記載のドッキング機器システム。
【請求項１２】
前記下方電子機器ユニット（２）は前記上部カバーに通気孔（２７）を有し、
前記中空の中心部分は、前記通気孔のうちの少なくとも１つの直下にあって、前記下方電子機器ユニットの内部と前記通気孔の間の空気流が可能になる、請求項１１に記載のドッキング機器システム。
【請求項１３】
前記下方電子機器ユニット（２）は前記上部カバーに通気孔（２７）を有し、
前記上方電子機器ユニットは、前記上部カバーに面する下部側に下部通気孔を備え、
前記摺動フック部片は、前記上部カバーの内部上部面と平行である概して平らなボディであり、前記概して平らなボディは、
前記ボタンが延びる前方細片部分（２３）と、
平坦な突起すなわちエッジ（３５）がある、対向する後方細片部分（３４）と、
前記前方細片部分と前記対向する後方細片部分の間に延びる２つの側方細片部分と、
前記前方細片部分、対向する後方細片部分、および前記２つの側方部分によって画定された中空の中心領域と
を備えた、請求項８に記載のドッキング機器システム。
【請求項１４】
前記下方電子機器ユニットの前記上部カバー上でドッキングする上方電子機器ユニット（１）であって、前記上方電子機器ユニットは、前記フックに係合する少なくとも１つのフック受け開口部（１１）、および前記上部カバーに面する下部側の電子コネクタ（１２）を備えた、上方電子機器ユニット（１）と、
前記電子コネクタに係合する前記下方電子機器ユニットの下方電子コネクタ（７）と、
を備えた、請求項１に記載のドッキング機器システム。
【請求項１５】
前記上方電子機器ユニット内の少なくとも１つの案内ピン開口部（１０）と、
前記上部カバーから上向きに延びる少なくとも１つの案内ピン（５）と
を備え、
前記案内ピンは前記案内ピン開口部に入って、前記上方電子機器ユニットを前記下方電子機器ユニットと整合させ、前記下方電子コネクタを前記電子コネクタと接続させる、請求項１４に記載のドッキング機器システム。
【発明の詳細な説明】
【技術分野】
【０００１】
本発明は、電子デバイスの取付けおよびドッキングに関する。
【背景技術】
【０００２】
関連出願の相互参照
本出願は、参照によりその全体を本明細書に組み込む２０１２年１０月１１日出願の米国特許仮出願第６１／７１２，６４９号明細書の優先権を主張する。
【０００３】
セットトップボックス業界には、電子機器をそれらが共に機能できるようにドッキングして一体化する機能に関するニーズが存在する。このニーズは、ユニットが一緒になってロックされるように、また偶発的に分離することがないように、組み立て時の損傷の危険なしに機器の電気コネクタを安全に整合させる性能を含む。さらに、顧客は、例えばボタンを押すことにより、どちらのユニットも損傷することなく、ユニットを互いに簡単にドッキング解除またはロック解除できることを必要とする。
【０００４】
低必要とする部品の数が最小限であり必要とするコストが低いコストのドッキング概念と機構が、この業界でさらに必要とされている。
【０００５】
新規のドッキング概念が必要とされる理由の１つは、ますます多くの機能が家庭の電子装置に期待されていると共に、個々のデバイスにどれだけの機能を装備できるかについての制限があることである。この観点から、電子構成要素用の便利で低コストの結合機構が、異なる機能の電子構成要素を簡単に組み合わせるための、および／または、どのケーシングも開ける必要なしに、また内部構成要素を変更することなく構成要素を他のものと交換するための方法論を提供することができる。もっと正確に言えば、いくつかの機能を持つ電子デバイスを備えるケーシングは、他のケーシングと交換および結合されてよい独立型ユニットとすることができる。
【発明の概要】
【課題を解決するための手段】
【０００６】
顧客が押して２つの電子機器を接続できるようにする部品がほとんどない機構が開示される。案内ピンおよび他の噛合わせ部品の幾何学形状が、２つの機器および必要なコネクタを整合させ、顧客がその後２つの機器を一緒に押すことができるようにする。ばね懸架式フックが次に挿入できるように開口部のまわりで偏向し、その後、所定の場所に戻って２つの機器を一緒にロックする。次に、１つの機器の側面のボタンを押すと、それらが外れるようにロッキングフックを動かし、同時に、リフティングプッシャが上向きに動いて、損傷なしに２つの機器を分離し電子コネクタを切り離す。この機能は、最小限の数の部品を用いて実現される。
【０００７】
本発明によるドッキング機器システムの実施形態は、上部カバー１６を有する下方電子ドッキング機器２と、上部カバーの少なくとも１つのフック開口部および少なくとも１つのリフトプッシャ開口部と、下方電子ドッキング機器の側壁のボタン開口部と、摺動フック部片１３であって、ボタン開口部を通って延びる摺動フック部片の端部のボタン６、フック開口部を通って延びる少なくとも１つのフック４、およびリフトプッシャ開口部を通って延びる少なくとも１つのリフトプッシャを含み、上部カバーに摺動可能に取り付けられる摺動フック部片１３と、ボタンが押されたときに、リフトプッシャを上向きに動かす上部カバー上のリフト手段２０とを含むことができる。摺動フック部片は、上部カバーの内部上部面と平行である概して平らなボディとすることができ、フックが平らなボディから上向きに延びる。摺動フック部片は、リフトプッシャがそこから上向きに延びる少なくとも１つのリフトプッシュレバー１９を含むことができる。リフトプッシュレバーは、ボタンが押されたとき、リフト手段上で摺動してリフトプッシャを上向きに動かす。リフトプッシュレバー１９は、ピボットヒンジを中心に旋回する平坦部分を含むことができ、ピボットヒンジの一方の側の平坦部分の第１の部分はリフトプッシャを支持し、ボタンが押されたとき、ピボットヒンジの第２の側の平坦部分の第２の部分はリフト手段に係合し、その結果、第２の部分がリフトプッシャを上向きに動かすリフト手段に係合すると、平坦部分は、ピボットヒンジを中心に回転するようになる。リフト手段は、上部カバーの内部上部面の斜面２０とすることができ、第２の部分は、ボタンが押されたとき、斜面を上方へ摺動して平坦部分を回転させる。上部カバーの内部上部面は、少なくとも１つの保持リブ１５を含むことができる。摺動フック部片は、摺動フック部片をボタン開口部の方に付勢するように保持リブにばね懸架されている少なくとも１つのばねフィンガ１４を含むことができ、ばねフィンガはまた、ボタンおよびフックを、下方電子ドッキング機器のボタン開口部を有する側壁の方に付勢することもできる。上部カバーの内部上部面は、ピボットヒンジのエッジを保持するスロットをそれぞれ形成する少なくとも１つの保持タブ２２を含むことができ、保持タブは、摺動フック部片１３が上部カバーに摺動可能に取り付けられることを可能にする。摺動フック部片の概して平らなボディは、ボタンがそこから延びる前方細片部分２３と、平坦な突起すなわちエッジ３５がある対向する後方細片部分３４とを含むことができる。平坦な突起すなわちエッジは、上部カバーの内部上部面から形を成す少なくとも１つのエッジ保持タブ３６によって形成された少なくとも１つのエッジスロット内に位置させることができ、エッジ保持タブはまた、摺動フック部片１３が上部カバーに摺動可能に取り付けられることを可能にする。さらに、ドッキング機器システムは、下方電子ドッキング機器の上部カバー上でドッキングする上方電子機器１を含むことができ、上方電子機器は、フックに係合する少なくとも１つのフック受け開口部１１を備える。システムは、上方電子機器内の少なくとも１つの案内ピン開口部１０と、上部カバーから上向きに延びる少なくとも１つの案内ピン５とをさらに含むことができ、案内ピンは、案内ピン開口部に入って、上方電子機器を下方電子機器と整合させる。システムは、上方電子機器から下向きに延びる足３と、上部カバー上の足ポケットとをさらに含むことができ、足は足ポケットに入って、上方電子機器を下方電子機器と整合させる。システムは、下方電子機器の上部カバー上で下方電子コネクタ７に係合する上方電子機器の下部側の電子コネクタ１２の機能部をさらに含むことができる。
【０００８】
本発明の別の実施形態は、概して平らなボディである摺動フック部片を含むドッキング機器システムの熱管理に関連し、この摺動フック部片は、ボタンがそこから延びる前方細片部分２３と、平坦な突起すなわちエッジ３５がある対向する後方細片部分３４と、前方細片部分と対向する後方細片部分の間に延びる２つの側方細片部分と、前方細片部分、対向する後方細片部分、および２つの側方部分によって画定された中空の中心領域とを備える。この場合、下方電子ドッキング機器２は上部カバーに通気孔２７を有することができ、中空の中心部分は、通気孔のうちの少なくとも１つの直下にあって、中空中心部分を通る、下方電子ドッキング機器の内部と通気孔の間の空気流が可能になる。上方電子機器は、上部カバーに面する下部側に下部通気孔を含むことができる。
【図面の簡単な説明】
【０００９】
本発明は、図面を参照して詳細に説明される。
【００１０】
【図１】本発明によるドッキング概念を使用して係合されている下方電子機器２および上方電子機器１の前面図である。
【図２】本発明のドッキング機構により係合された下方電子機器２と上方電子機器１の内部の前面図または後面図である。
【図３Ａ】本発明により係合された下方電子機器２と上方電子機器１の側面図である。
【図３Ｂ】本発明により係合された下方電子機器２と上方電子機器１の側面図である。
【図４Ａ】係合またはドッキングされた下方電子機器２と上方電子機器１の斜視前面図である。
【図４Ｂ】係合またはドッキングされた下方電子機器２と上方電子機器１の斜視後面図である。
【図５】本発明による相乗的な熱抽出機構を示す、係合された下方電子機器２と上方電子機器１の内部の前面図または後面図である。
【図６】本発明による様々な機能部を示す下方電子機器２の上部斜視図である。
【図７】本発明による様々な機能部を示す上方電子機器１の下部平面図である。
【図８Ａ】本発明による下方電子機器２の上部平面図である。
【図８Ｂ】本発明による下方電子機器２の下部平面図である。
【図８Ｃ】本発明による下方電子機器２の下部平面図である。
【図９】本発明による成形プラスチック摺動フック部片１３を示す、下方電子機器２の上部カバー１６の下部斜視図である。
【図１０Ａ】本発明による摺動フック部片１３の上部面機能部を提示する下方電子機器２の内部の図である。
【図１０Ｂ】本発明による摺動フック部片１３の上部面機能部を示す下方電子機器２の内部の図である。
【図１１Ａ】本発明による下方電子機器２内の熱パッド３０配置を強調している内部図である。
【図１１Ｂ】本発明による下方電子機器２内の熱パッド３０配置を強調している内部図である。
【発明を実施するための形態】
【００１１】
本発明によるドッキングシステムの焦点は、成形プラスチック摺動フック部片１３である。この主要機構では、多くの機能が１つの部品に集積されている。本発明の他の重要な機能部が、下方電子ドッキング機器２の成形プラスチック上部カバー１６に集積されている。他の機能部が、他方の上方電子機器１の床部にさらに集積されている。
【００１２】
要するに、ドッキングシステムは、下方電子ドッキング機器２と呼ばれる下方ドッキングユニット２の成形プラスチック上部カバー中に成形された保持機能部にはまる摺動フック部片１３と、上部カバー１６の開口の中にはめ込まれる部片１３のフック４およびプッシュリフタ８であって、フック４およびプッシュリフタ８を開口の中に入れてから、次に、摺動フック部片１３の前方エッジまたは前方細部片部分２３に面するリブ１５の側面でばねフィンガがリブ１５と接触した状態で、次にばねフィンガ１４が保持リブまたはリブ１５を超えて押されるように部片１３を摺動させることによって、摺動フック部片１３が下方電子ドッキング機器２の上部カバーに組み合わされる、フック４およびプッシュリフタ８と、ボタン６が上部カバーの側面から突出できるようにする上部カバー１６の側面の開口であって、ばねフィンガ１４が、ボタン６が下方電子ドッキング機器２の開口部から突出するように摺動部片１３に負荷をかける、開口とを含むことができる。部片１３は一般に、幅が狭い細部片の平面構造物でよく、ばねフィンガ１４は、部片１３の一部として成形されてよく、また平面構造物と同じ概略平面内にあってよい。
【００１３】
本発明のドッキング機能部は、ドッキング時の挿入のための傾斜した導入部になる上部エッジに面取り部がある、１つまたは複数のフック４を有する摺動フック部片１３であって、これらのフック４が下方電子ドッキング機器２の上方に突出する摺動フック部片１３と、上部カバー１６中に成形された２つ以上の案内ピン５と、上方電子機器１の取付け足３と噛み合うようにも提供されている上部カバー１６の上部面のポケット１７であって、上方電子機器が、下方電子ドッキング機器２からの案内ピン５に係合する開口部１０を有するポケット１７と、下方電子ドッキング機器２からのドッキングフック４に係合するフック受け開口部１１とを含むことができる。使用者は、上方電子機器１を下方電子ドッキング機器２の上に置き、足ポケット１７が粗い整合を行い、案内ピン５が精密な整合を行う。次に、使用者は真っ直ぐに押し下げ、下方電子ドッキング機器２のフック４は、ユニットが一緒になると側方に押し進み、次に、ユニットが一緒になって完全に押されたときに所定の場所にロックする。上方ユニットの開口上およびフックの上部エッジ上の面取り部は、摺動する動きを可能にする。摺動フック部片１３のばねフィンガ１４は、この摺動する動きができるように偏向し、次に、フック４の返しが開口のエッジを通過した後に、フックを所定の場所に押し込む。
【００１４】
本発明のドッキング解除機能部は、使用者が上方電子機器１をドッキング解除したいときのために下方電子ドッキング機器２の側面を貫通して突出するボタン６であって、使用者が押すと摺動フック部片１３が側方へ動くボタン６と、ピボットヒンジと共に成形されているリフトプッシュレバー１９であって、使用者が部片１３の一方の側のボタン６を押したときに、上部カバー１６中に成形された斜面２０をレバー１９の一方の側が上方に摺動し、そのときレバーのもう一方の側（すなわち、プッシュリフタ８）が上向きに動き、上方電子機器１の下側を電子コネクタ１２の近くで押す、リフトプッシュレバー１９とを含むことができる。リフトプッシュレバー１９は、十字形またはｔ字形とすることができ、２つの平行な向かい合うセグメントがピボットヒンジであり、これはｔ字形の水平ラインに相当する。リフトプッシュレバー１９の他方の２つの平行な向かい合うセグメント（すなわち、ｔ字形の垂直ライン）のうち、１つのセグメントは、前方細部片部分２３と反対方向を向く平坦部分とすることができ、また斜面２０を上方へ摺動するレバー１９の部分である。ピボットヒンジは、保持タブ２２によって一定の平面に保持され、この保持タブは、ピボットヒンジのエッジまたはそれらの支持部が平面内で摺動し留まれるスロットを形成する、高くした水平の平らな構造物とすることができる。残りの向かい合うセグメントは、リフトプッシャ８を含み、このセグメントが前方細部片部分２３に面し、またこのセグメントが、リフトプッシュレバーの向かい合うセグメントが斜面２０を上方へ摺動するときに、上向きに上昇して、リフトプッシャ８を上方電子機器１の底部側と接触するように上向きに動かす。これらの機能部は、コネクタ保持力を安全に克服し、ねじりまたは回転がない直線の動きでコネクタ１２を押す。摺動する動きはまた保持フックを、上方電子機器が上向きに動くことができるように動かす。顧客が側面のボタンを押すことを中止すると、ばねフィンガは摺動フック部片をその元の位置に戻す。
【００１５】
本発明の機能部は、図面を参照してより詳細に論じられることはない。
【００１６】
図１は、係合されている下方電子機器２および上方電子機器１の前面図である。図１はさらに、上方電子機器１が、下方電子機器２の上部の足ポケット１７（図示せず）と整合させるために、その底部の突出足３を有することができるかを示す。機器は、ハードドライブ、デジタルビデオレコーダ、セットトップボックス、ＤＶＤプレーヤなどでよい。下方電子機器２は、下方電子機器２の上部から、かつ／または上部を貫通して、突出するドッキングフック４および案内ピン５を有することができる。電気コネクタ７もまた、機器２の上部カバー１６から突出することができ、また２つのデバイス間のインターフェースおよび／または通信手段、および／または２つのデバイスの一方を駆動する電力供給手段になることができる。一方のデバイスの側面から、かつ／または側面を貫通して、突出することができるロック解除ボタン６もまた示されている。機器２の上部カバーから突出するリフトプッシャ８もまた、図１に見ることができる。このリフトプッシャ８は、上方電子機器１をロック解除するために使用される。
【００１７】
図２は、上方電子部品１の突出足３が下方電子機器２の上部カバー１６の足ポケット１７内にどのようにして静止しているか、または置かれているかを示す、係合またはドッキングされた下方電子機器２と上方電子機器１の内部の前面図または後面図である。この図は、ドッキングフック４が、２つの機器を一体化して固定するために、機器１の底部の開口部にはまり込んで開口部まわりのエッジを把持するＬ字形エッジ面を有することができるかを示す。機器１の案内開口部を通り抜ける案内ピン５の１つもまた示されている。この図は、機器がファン２４またはハードドライブ２５などの複数の内部構成要素を有することを示す。この図は、成形プラスチック摺動フック部片１３がどのようにして幅の狭い細部片の概して平らな構造物になることができるか、また、この構造物の概略平面内に、下方電子機器２の側壁を越えて延びることができる押しボタン６を有することができるか、また、平面から垂直に延びて係合するドッキングフック４および上方電子機器１を有することができるか、を示す。摺動フック部片１３の好ましい材料はプラスチックであるが、部片１３は、それらが、プラスチック材料が機能するように機能するための適切な弾性を有する限り他の材料でもよいことに留意されたい。
【００１８】
図３は、ドケットシステムの両側面の図を示し、またどのようにしてロック解除ボタン６を、あまり目立たないよう、かつ偶発的にロック解除されにくいように機器の前面から遠くに有利に位置させるように、両側面のうちの一方の中心に位置させることができるかを示す。この図は、どのようにしてこれら機器のどちらかの側面が、排熱を促すための通気孔を有することができるかを示す。通気孔は、一方または両方の側面の（図示のような）垂直スロットとすることができ、またそれぞれの機器の高さの半分を超える高さを有することができる。図３Ａは、係合された下方電子機器２と上方電子機器１の右側面図を示し、図３Ｂは、下方電子機器２とボタン６が外に延びた下方電子機器２に係合された上方電子機器１の左側面図を示す。
【００１９】
図４は、係合またはドッキングされた下方電子機器２と上方電子機器１の斜視図を示す。図４Ａは、係合された下方電子機器２と上方電子機器１の前側面図を示し、図４Ｂは、係合された下方電子機器２と上方電子機器１の左側面図を示す。それぞれの図がボタン６を示す。
【００２０】
図５は、係合またはドッキングされた下方電子機器２と上方電子機器１の内部の前面図または後面図であり、システムは、それぞれの機器が個々に放熱を管理するのとは対照的に、集積された熱管理機構を有することができる。この構成では、一方の機器（下のものであり得る）は、下方電子機器２の側面の吸込み通気孔２８に配置されたファン２４を使用することによって、冷却空気を機器の中に水平に引き込むことができ、また下方電子機器２は、その上部面に排出通気孔２７を有することができ、この排出通気孔は冷却空気が、そこを通って出て行くこと、および上方電子機器１に、その排出通気孔２７に面する側面の吸込み通気孔２６を通って入ることを可能にする。冷却空気はその後、排出通気孔２９を通って上方電子機器１を出る。図５は、主要な熱発生源であり得るハードドライブ２５を下方電子機器２内に示すが、他の異なる熱発生源が使用され、また存在してよい。摺動フック部片１３は、上部カバー１６に向かって通過する空気流または熱流を妨げない中空の中心部分を有することによって、この冷却機能を促進するように設計されることができる。
【００２１】
図６は、様々な機能部を示す下方電子機器２の上部斜視図である。特に、この図は、上部カバー１６の開口部を通って突出する摺動フック部片１３の様々な機能部を示す。上部カバー１６を貫通して突出する摺動フック部片１３機能部は、上部エッジにドッキング時の挿入のための傾斜した導入部を提供する面取り部があるフック４、リフトプッシャ８、および押しボタン６であり得る。押しボタン６が押し込まれると、フックは同時にボタン６と同じ方向に動き、リフトプッシャ８は同時に上向きに動くことに注目されたい。図示の他の構成要素は、上部カバー１６中に成形された２つ以上の案内ピン５と、上方電子機器１の取付け足３と噛み合うように、または係合するように提供されている上部カバー１６の上部面の足ポケット１７とを含み、上方電子機器は、下方電子ドッキング機器２の案内ピン５に係合する開口部１０を有する。図６はさらに、複数の排出通気孔２７を示し、また電気コネクタ７が上部カバー１６を通り抜けて突出できるかを示す。
【００２２】
図７は、上方電子機器１の下部図であり、下方電子機器２の部品と係合するように適合されている様々な係合構造物を示す。例えば、開口部１０は案内ピン５に係合し、開口部１１はドッキングフック４に係合し、コネクタ１２はコネクタ７に係合する。使用者は、上方電子機器１を下方電子ドッキング機器２の上に置き、上方電子機器１の取付け足３は、足ポケット１７に係合して粗い整合が行われる。案内ピン５は精密な整合を行う。次に、使用者は真っ直ぐに押し下げ、下方電子ドッキング機器２のフック４は、ユニットが一体となるように側方に押し、次に、ユニットが一体となって完全に押されたときに所定の場所にロックする。上方電子機器１の開口部１１上およびフックの上部エッジ上の面取り部が、摺動する動きを可能にする。フック４が開口部１１に係合すると、摺動フック部片１３のばねフィンガ１４（図９に示す）は、この摺動する動きができるように偏向し、次に、フック４の返しが開口部１１のエッジを通過した後に、フックを所定の場所に押し込む。図７はまた、吸込み通気孔２６を示す。
【００２３】
図８は、別の実現可能な熱管理機能部を提示する、下方電子機器２の様々な図を示す。図８Ａは、下方電子機器２の上部平面図を示す。図８Ｂは、外部ケーシング３１および下部足３２を含む下方電子機器２の下部平面図を示す。図８Ｃは、熱パッド３０を示すために外部ケーシング３１が取り除かれている下方電子機器２の下部平面図を示す。熱パッド３０は、外部ケーシング３１の下部と、ハードドライブ２５などであり、回路基板、スマートカードリーダなどでもよい内部構成要素との間に位置させることができる。熱パッド３０は、下方電子機器２の外部ケーシング３１まで熱を伝導し、外部ケーシング３１への熱発散と、下方電子機器２からの熱放散とをもたらすことができる。
【００２４】
図９は、どのようにして成形プラスチック摺動フック部片１３が構成され、下方電子機器２の上部カバー１６の内部上部面上に概して静止することができるかを示す、下方電子機器２の上部カバー１６の下部図である。部片１３は、図示するように概して平坦であり上部カバー１６と一体化するように構成されている単一部材でよい。ねじ孔またはボルト孔３３が上部カバー１６に示されており、この孔は、外部ケーシング３１を上部カバー１６と組み合わせるために使用されることができる。図９に最もはっきりと示されているように、摺動フック部片１３は、下方電子ドッキング機器２の上部カバーに摺動可能に取り付けられる。上部カバー１６は、少なくとも１つのフック開口部、および少なくとも１つのリフトプッシャ開口部を上部カバーに含む。摺動フック部片１３は、ボタン開口部を通って延びる摺動フック部片の端部のボタン６と、フック開口部を通って延びるフック４と、リフトプッシャ開口部を通って延びるリフトプッシャ８とを含む。上部カバーは上部カバー上に、斜面であり得るリフト手段２０を含む。摺動フック部片は、上部カバーの内部上部面と平行である概して平らなボディであり得る。摺動フック部片は、平らなボディから上向きに延びるフックと、リフトプッシャがそこから上向きに延びるリフトプッシュレバー１９とを有することができ、リフトプッシュレバー１９は、ボタンが押されたとき、リフト手段すなわち斜面２０上で摺動してリフトプッシャを上向きに動かす。リフトプッシュレバー１９は、ピボットヒンジを中心に旋回する平坦部分を含むことができ、ピボットヒンジの一方の側の平坦部分の１つの部分がリフトプッシャ８を支持し、ボタンが押されたとき、ピボットヒンジのもう一方の側の平坦部分の第２の部分が斜面２０に係合する。この第２の部分がリフトプッシャを上向きに動かすリフト手段に係合すると、平坦部分は、ピボットヒンジを中心に回転する。また、図９は、少なくとも１つの保持リブ１５と、ばねフィンガ１４を含む摺動フック部片とを含む上部カバーの内部上部面を示し、ばねフィンガは、摺動フック部片をボタン開口部の方に付勢するように保持リブにばね懸架されている。また、図９は、ピボットヒンジのエッジを保持するスロットをそれぞれ形成する保持タブ２２を含む、上部カバー１６の内部上部面を示し、保持タブは、摺動フック部片１３が上部カバーに摺動可能に取り付けられることを可能にする。摺動フック部片１３の概して平らなボディは、ボタンがそこから延びる前方細片部分２３と、平坦な突起すなわちエッジ３５がある対向する後方細片部分３４とを含むことができ、平坦な突起すなわちエッジ３５は、上部カバーの内部上部面から形を成す少なくとも１つのエッジ保持タブ３６によって形成された少なくとも１つのエッジスロット内に位置付けられる。エッジ保持タブ３６はまた、摺動フック部片１３が上部カバー１６に摺動可能に取り付けられることを可能にする。
【００２５】
図１０は、摺動フック部片１３の上部面機能部を示す下方電子機器２の内部の図を示し、図１０Ａは平面図であり、図１０Ｂは、どのようにしてフックが摺動フック部片１３の概して平らなボディの摺動細片から延びることができるか、またどのようにしてフック４が後方細片部分３４の平坦突起すなわちエッジ３５から延びることができるか、を提示する斜視図を示す。図は、どのようにして摺動フック部片１３が、上部カバー１６まで熱が移動することを可能にし、かつ上部カバー１６のその上部面の排出通気孔２７まで対流または空気流を可能にすることができる、中空の中心領域を有することができるかを示す。
【００２６】
図１１は、どのようにして熱パッド３０が、熱を下方電子機器２の外部ケーシング３１まで熱を伝導し、外部ケーシング３１への熱発散と、下方電子機器２からの熱放散とをもたらすことができるか、を示す様々な内部の図を提供する。
【００２７】
本発明は、特定の態様および機能部を参照して記述されているが、当業者には、本発明が機能部の様々な組合せを含むものであること、また記述された特定の態様および機能部が本発明の代表的な実施形態であることが理解されよう。例えば、例は、１つの一体型構成要素である摺動フック部片１３を含むが、この部片はいくつかのばらばらの構成要素とすることが、それらが一体型構成要素のように相互作用する限り可能であることを理解されたい。さらに、例は、下方の機器内にある摺動フック部片１３を含むが、この部片は、下方の機器ではなく上方電子機器内にあることが可能なことを理解されたい。加えて、本発明は、別の方向にある積重ね機器を含むものであり、そのためユニットは、それらの側面に置かれるように向けられることができる。
【００２８】
したがって、上記は、本発明を実践する可能性のいくつかを例示するものである。他の多くの実施形態が、本発明の範囲および趣旨のうちで可能である。上記の記述は、限定的ではなく説明的なものと見なされること、および本発明の範囲は、添付の特許請求の範囲とその等価物の全範囲を一緒にしたものによって与えられることが意図されている。
【図１】
2015532540.tif 000003
【図２】
2015532540.tif 000004
【図３Ａ】
2015532540.tif 000005
【図３Ｂ】
2015532540.tif 000006
【図４Ａ】
2015532540.tif 000007
【図４Ｂ】
2015532540.tif 000008
【図５】
2015532540.tif 000009
【図６】
2015532540.tif 000010
【図７】
2015532540.tif 000011
【図８Ａ】
2015532540.tif 000012
【図８Ｂ】
2015532540.tif 000013
【図８Ｃ】
2015532540.tif 000014
【図９】
2015532540.tif 000015
【図１０Ａ】
2015532540.tif 000016
【図１０Ｂ】
2015532540.tif 000017
【図１１Ａ】
2015532540.tif 000018
【図１１Ｂ】
2015532540.tif 000019
【国際調査報告】
2015532540.tif 000020
2015532540.tif 000021
2015532540.tif 000022